(57)【要約】【課題】キャスターによって水平方向の方向転換作業を行わなくても、牽引装置やトレーの水平方向の向きを自由自在に変えることができるようにする。【解決手段】下部可動台１と、該下部可動台１の上面から垂設した支柱２と、該支柱２上端に設けた上部載置台３とから成り、該上部載置台３にトレー、牽引装置等のペット処置用器具４を脱着可能に取り付ける。ペット処置用器具４としてのトレー、牽引装置を上部載置台３に回動自在に架設する。トレーは、当該トレーに載せられている手術用器具のコード類を引き出すための切欠部４ｃを四隅に形成する。牽引装置は、紐体１９の先端にペットＰを牽引するためのフック１８を有する紐体１９の後端を一対の保持ローラ２０ａ、２０ｂ間に挟持することで係止固定するストッパ機構２０を備える。【選択図】図１
2011062383.tif 000002
【特許請求の範囲】
【請求項１】
下部可動台と、該下部可動台の上面から垂設した支柱と、該支柱上端に設けられた上部載置台とから成り、該上部載置台にトレー、牽引装置等のペット処置用器具を脱着可能に取り付けられることを特徴とするペット処置用器具台。
【請求項２】
ペット処置用器具としてのトレーを前記上部載置台に回動自在に架設して成る請求項１記載のペット処置用器具台。
【請求項３】
ペット処置用器具としての牽引装置を前記上部載置台に回動自在に架設して成る請求項１記載のペット処置用器具台。
【請求項４】
ペット処置用器具としてのトレーは、当該トレーに載せられている手術用器具のコード類を引き出すための切欠部を四隅に形成して成る請求項１または２記載のペット処置用器具台。。
【請求項５】
ペット処置用器具としての牽引装置は、先端にペットを牽引するためのフックを有する紐体の後端を一対の保持ローラ間に挟持させることで係止固定するストッパ機構を備えて成る請求項１または３記載のペット処置用器具台。
【発明の詳細な説明】
【技術分野】
【０００１】
本発明は、ペット用の手術用器具を載せるためのトレーとして、あるいは骨折したペットの手術前に当該骨折部分を牽引しておくための牽引装置等として使用される移動可能なペット処置用器具台に関する。
【背景技術】
【０００２】
従来、ペット用手術台、ペット用治療台等には脚部下端にキャスターが付いているものが公知となっている。これらは脚部下端のキャスターを介して、脚部を含む台全体の水平方向を自在に変えている。
【０００３】
また、ペット用の手術用器具を載せるためのトレーも同様にして脚部下端のキャスターを介して、脚部を含むトレー全体の水平方向を自在に変えている。
【０００４】
さらに、ペットが骨折した場合、その骨折した骨同士が互いに入り込むことがあるため、手術前に当該骨折部分を牽引し保持しておく必要があるが、この作業は殆どが人手による作業で行われているのが実状である。
【先行技術文献】
【特許文献】
【０００５】
【特許文献１】特になし
【発明の概要】
【発明が解決しようとする課題】
【０００６】
しかしながら、従来においては、脚部下端のキャスターを介して、脚部を含む台・トレー全体の水平方向を変えているので、当該台・トレーの水平方向の方向転換作業が非常に面倒で、使い勝手も悪いものであった。
【０００７】
また、トレーにはエコー診断・胸腔穿刺・心電図・筋電図・四肢エックス線撮影等の診断デバイス等の種々の手術用器具を載せられるのであるが、これらの手術用器具のコード類がトレーの側壁を跨ぐようにして外方へ引き出されているので、これらコード類が邪魔となって手術作業自体に支障を来す虞がある。
【０００８】
さらに、骨折したペットの手術前に当該骨折部分を牽引し保持しておく場合には、殆どが人手による作業で行われているため、手術作業が非常に面倒なものとなる。しかも、このような人手を要するものに替わる牽引装置なるもの自体も未だに存在していないのが実状である。
【０００９】
そこで、本発明は、叙上のような従来存した諸事情に鑑み案出されたもので、骨折したペットの手術前に当該骨折部分を牽引し保持しておくための牽引装置を提供すると共に、キャスターによって水平方向の方向転換作業を行わなくても、牽引装置やトレーの水平方向の向きを自由自在に変えることができ、さらにトレーに載せられている手術用器具のコード類によって手術作業自体に支障を来さないようにすることができるペット処置用器具台を提供することを目的とする。
【課題を解決するための手段】
【００１０】
上述した課題を解決するために、本発明にあっては、下部可動台と、該下部可動台の上面から垂設した支柱と、該支柱上端に設けられた上部載置台とから成り、該上部載置台にトレー、牽引装置等のペット処置用器具を脱着可能に取り付けられることを特徴とする。
【００１１】
ペット処置用器具としてのトレーを前記上部載置台に回動自在に架設して成る。
【００１２】
ペット処置用器具としての牽引装置を前記上部載置台に回動自在に架設して成る。
【００１３】
ペット処置用器具としてのトレーは、当該トレーに載せられている手術用器具のコード類を引き出すための切欠部を四隅に形成して成る。
【００１４】
ペット処置用器具としての牽引装置は、先端にペットを牽引するためのフックを有する紐体の後端を一対の保持ローラ間に挟持させることで係止固定するストッパ機構を備えて成る。
【発明の効果】
【００１５】
本発明によれば、骨折したペットの手術前に当該骨折部分を牽引し保持しておくための牽引装置を提供すると共に、キャスターによって水平方向の方向転換作業を行わなくても、牽引装置やトレーの水平方向の向きを自由自在に変えることができ、さらにトレーに載せられている手術用器具のコード類によって手術作業自体に支障を来さないようにすることができる。
【００１６】
すなわち、本発明は、下部可動台と、該下部可動台の上面から垂設した支柱と、該支柱上端に設けられた上部載置台とから成り、該上部載置台にトレー、牽引装置等のペット処置用器具を脱着可能に取り付けられるので、キャスターによって水平方向の方向転換作業を行わなくても、牽引装置やトレー等のペット処置用器具の水平方向の向きを自由自在に変えることができる。
【００１７】
ペット処置用器具としてのトレーを前記上部載置台に回動自在に架設して成るので、キャスターによって下部可動台・支柱・上部載置台の水平方向の方向転換作業を行わなくても、ペット処置用器具であるトレーの水平方向の向きを自由自在に変えることができる。
【００１８】
ペット処置用器具としての牽引装置を前記上部載置台に回動自在に架設して成るので、キャスターによって下部可動台・支柱・上部載置台の水平方向の方向転換作業を行わなくても、ペット処置用器具である牽引装置の水平方向の向きを自由自在に変えることができる。
【００１９】
ペット処置用器具としてのトレーは、当該トレーに載せられている手術用器具のコード類を引き出すための切欠部を四隅に形成して成るので、トレーに載せられている手術用器具のコード類を切欠部を介して外方に引き出すことによって当該コード類が手術作業の邪魔とはならず、手術自体に支障を来さないようにすることができる。
【００２０】
ペット処置用器具としての牽引装置は、先端にペットを牽引するためのフックを有する紐体の後端を一対の保持ローラ間に挟持させることで係止固定するストッパ機構を備えて成るので、骨折したペットの手術前に当該骨折部分を牽引し保持しておくための牽引装置を提供することができる。
【図面の簡単な説明】
【００２１】
【図１】本発明を実施するための一形態におけるペット処置用器具台の使用の一例を示し、上部載置台からトレーが外されている状態の分解斜視図である。
【図２】同じく上部載置台の支持用差込孔に、トレー下部の支軸を差し込み、締め付けリングをネジで締め付ける状態の斜視図である。
【図３】同じく上部載置台の支持孔に、トレー下部の支軸を差し込み、締め付けネジで固定した状態の下面図である。
【図４】同じくペット処置用器具台の使用状態の斜視図である。
【図５】同じくペット処置用器具台の他の使用例を示し、上部載置台から牽引装置が外されている状態の分解斜視図である。
【図６】同じく牽引装置の使用状態を示す斜視図である。
【図７】同じく牽引装置の構成の詳細を示す斜視図である。
【図８】同じくストッパ機構の一例を示す平面図である。
【図９】同じく牽引装置のクッション台の取付例を示す斜視図である。
【発明を実施するための形態】
【００２２】
以下、図面を参照して本発明の実施の一形態を詳細に説明する。
本発明に係るペット処置用器具台は、図１に示すように、キャスターＫによって移動可能とした下部可動台１と、該下部可動台１の上面から垂設した支柱２と、該支柱２上端に設けられ、例えば、後述するトレー、牽引装置等のペット処置用器具４を脱着可能に取り付た上部載置台３とから構成されている。
【００２３】
下部可動台１は、図１、図４、図５、図６に示すように、左右一対の水平脚部１ａの各中央部同士を、若干幅広となった横架材１ｂを介して連結することで全体略Ｈ型に形成されている。そして、各水平脚部１ａの両端下面にはキャスターＫが付設され、下部可動台１の四隅の合計４個のキャスターＫによって下部可動台１自体が移動可能となっている。
【００２４】
支柱２は、図１、図４、図５、図６に示すように、下部可動台１の横架材１ｂの一端上部に垂設した縦長板状の支持突部２ａと、該支持突部２ａに上方から鞘状に差し込められる支持筒部２ｂとから構成されている。また、支持突部２ａの左右対向位置には長手方向に沿って凹溝条によるガイドレール２ｃが形成され、該ガイドレール２ｃに対応して、支持筒部２ｂ内壁の左右対向位置には長手方向に沿って凸条による不図示のスライド突起が形成されている。
【００２５】
そして、このスライド突起がガイドレール２ｃに若干きつめに嵌り込むことで、支持筒部２ｂが支持突部２ａに沿って上下にスライドした位置で固定できるようになっており、これによって上部載置台３の高さ調整が可能となっている。
尚、支持筒部２ｂの支持突部２ａに対するスライド位置の固定方式として、例えば両部材２ａ、２ｂに貫通するロックピン等を使用しても良い。
【００２６】
上部載置台３は、図１、図２、図３、図５、図６、図７に示すように、支柱２の支持筒部２ｂ上端に固着された水平な矩形状板体によって形成されている。この上部載置台３の一端部側には支持用差込孔３ａが形成され、上部載置台３の下面側には当該支持用差込孔３ａに連通するように締め付けリング５が付設されている。この締め付けリング５は、割り溝５ａを介して全体略Ｃリング状に形成されており、この割り溝５ａの外端には一対の突出片５ｂが対向状態となって設けられている。また、これら突出片５ｂにはネジ孔５ｃが対向状態となって穿設されている。
【００２７】
ネジ孔５ｃには、図２および図３に示すように、ダイヤル型の締め付けネジ６が螺着されており、この締め付けネジ６のダイヤル回動操作によって締め付けリング５の一対の突出片５ｂが接離され、これによって締め付けリング５が縮径あるいは緩径される。
【００２８】
ペット処置用器具４としてのトレーは、図１に示すように、矩形板状の底面部４ａと、該底面部４ａの周囲に立設した４枚の壁面部４ｂとから成り、トレーの四隅を略三角形状に切断することで、壁面部４ｂの角部が僅かな隙間となって開口された切欠部４ｃに形成されている。そして、トレーに載せられている手術用器具のコード類Ｌをこの切欠部４ｃから外方へ引き出せるようになっている。
【００２９】
また、図１乃至図３に示すように、トレーの下面片側にはロッド状の支軸７が垂下突設されている。そして、この支軸７は、上部載置台３の支持用差込孔３ａに上側から差し込まれ、差込設定後には、支軸７を回転軸として所望の方向にトレーを水平回転させておいてから、締め付けネジ６によって締め付けリング５を締め付けることで当該トレーが固定されるものとなっている。
【００３０】
尚、図４に示すように、使用時にはトレー全体に、滅菌済みの綿布Ｓが被せられ、これによって、トレーにペットＰの血液等の付着防止、器具の滑り防止、器具の打撃による消音等の種々な機能が発揮される。
【００３１】
ペット処置用器具４としての牽引装置は、図５、図６および図７に示すように、水平ビーム状の処置台１１の先端上面に、牽引操作部１０が後述する固定金具１６によって設置されて成る。また、この処置台１１の後端側には、略Ｔ字型となるように２個一対のクッション台１２ａ、１２ｂが脱着可能に配設されている。
【００３２】
すなわち、処置台１１は、自体が伸縮可能となるよう一方の筒体１１ａ内に他方の筒体１１ｂが挿入されており、両者の側面同士に貫挿される長さ調整用ネジ１１ｃによって任意の長さに固定できるようになっている。また、処置台１１の後端上側のクッション台１２ａは、図９に示すように、その下面に等間隔毎に嵌合凹部１３を設けてあり、これに対応して処置台１１の上面には固定ガイド１４が設けられている。この固定ガイド１４の上面には、クッション台１２ａの隣接する嵌合凹部１３同士の間隔に対応して、２つの嵌合凸部１５が形成されている。そして、固定ガイド１４の２つの嵌合凸部１５を任意の隣接する２つの嵌合凹部１３に嵌合させることで処置台１１の長手方向に任意の位置でクッション台１２ａが固定されるようになっている。
【００３３】
こうして、ペットＰの大きさに対応して、上側のクッション台１２ａの前後方向の位置調整が行えるようにしてある。また、後方の直角に設けられたクッション台１２ｂはペットＰのボディ等を支えるときの受け具として使用される。これもまた左右方向への位置調整が上記構成と同様に可能となっている。
【００３４】
また、処置台１１の下面片側には、前記トレーと同様に支軸７が設けられており、水平な上部載置台３の一端に設けられた支持用差込孔３ａに差し込まれ、差込設定後には、支軸７を回転軸として所望の方向に処置台１１を水平回転させておいてから、締め付けネジ６によって締め付けリング５を締め付けることで処置台１１が上部載置台３に固定されるものとなっている。
【００３５】
固定金具１６は、図７に示すように、処置台１１の先端に装着される箱型状の牽引操作部１０の上面隅所に設けられ、先端にコ字枠状の引っ掛け部１６ｂを備えたバックル型の引っ掛け具１６ａと、該引っ掛け具１６ａに対向すべく処置台１１の先端上面隅所に設けらた折り返し片状の被係架部１６ｃとによって構成され、前記引っ掛け部１６ｂを被係架部１６ｃに引っ掛けてから引っ掛け具１６ａを後方側に倒すように押し込むことで、処置台１１に牽引操作部１０が固定されるようになっている。
【００３６】
また、引っ掛け具１６ａと対称位置にある牽引操作部１０の上面隅所には、第１ガイドローラ１７ａが水平面内で回転自在となって枢着されている。
【００３７】
さらに、牽引操作部１０の上面先端側には、先端にペットＰを牽引するためのフック１８を有する紐体１９の後端側を一対の保持ローラ２０ａ、２０ｂ間に挟持させることで係止固定するストッパ機構２０を備えている。
【００３８】
すなわち、ストッパ機構２０として、図７、図８に示すように、牽引操作部１０の上面先端側には回転可能な円板状の水平揺動台２１の上面端部に、一対の保持ローラ２０ａ、２０ｂを、紐体１９の太さよりも若干狭い間隔の隙間が形成されるように、左右並列状に対向配置させている。これら両保持ローラ２０ａ、２０ｂは、図８に示すように、平面が略タマゴ型に形成され、その先細となった片側面には三角歯状の滑り止め部２２が形成されている。そして、両保持ローラ２０ａ、２０ｂは、不図示の復帰バネ機構によって、先細となった片側面同士が互いに閉塞する方向に回転付勢（図８中の太線矢印Ａ方向）されている。さらに、水平揺動台２１の上面他端側には、紐体１９を挿入可能とした支持枠２３が取り付けられ、加えて、支持枠２３と一対の保持ローラ２０ａ、２０ｂとの間には、アーチ状のガイド枠２４が取り付けられている。
【００３９】
この保持ローラ２０ａ、２０ｂは、紐体１９を引っ張るときには不図示の復帰バネに抗して当該保持ローラ２０ａ、２０ｂ同士が拡開方向に回転し（図８中の点線矢印Ｂ方向）、紐体１９の引っ張り力を解放したときには当該保持ローラ２０ａ、２０ｂ同士が復帰バネに任せて閉塞方向に回転し（図８中の実線矢印Ｃ方向）、両保持ローラ２０ａ、２０ｂの滑り止め部２２により紐体１９を固定するようにしてある。
【００４０】
紐体１９は、その先端に第２ガイドローラ１７ｂが軸受を介してフリーな状態となって取り付けられており、第２ガイドローラ１７ｂの軸受側面には、ペットＰ牽引用のフック１８が取り付けられている。このフック１８はペットＰの脚部先端に付設した金具類等に引っ掛けるようにして使用する。そして、紐体１９の第２ガイドローラ１７ｂ位置よりも後方に延びた部分を、前記第１ガイドローラ１７ａに掛架させてから、第２ガイドローラ１７ｂに掛架させ、さらに紐体１９の後部側を支持枠２３、ガイド枠２４を介して前記ストッパ機構２０の一対の保持ローラ２０ａ、２０ｂ相互間に挿入させてある。
尚、ストッパ機構２０より下方に引き出されている紐体１９には不図示の取っ手が取り付けられている。
【００４１】
上記したようにガイドローラ１７ａ、１７ｂは、ペットＰの牽引力の低減のために複数個、本形態では２個を使用しているが、１個でも良いことは勿論である。また、牽引操作部１０の固定金具１６は、処置台１１に脱着自在に嵌め込まれるもので、洗浄等に便利なものとなっている。
【００４２】
次に、以上のように構成された形態についての使用の一例について説明する。
図１に示すように、支柱２における支持突部２ａに沿って支持筒部２ｂを上下にスライドすることによって上部載置台３の高さ調整を行う。
【００４３】
そして、図２に示すように、締め付けネジ６のダイヤル回動操作によって締め付けリング５をいったん緩径させておき、トレーの支軸７を上部載置台３の支持用差込孔３ａに差し込み、トレーを所望の高さ位置にしておいてから、締め付けネジ６のダイヤル回動操作によって締め付けリング５を再度縮径させてトレーの支軸７を固定する。
【００４４】
このとき、隣接する手術台Ｒ（図６に示す）に対して、トレーの向きを変える必要があるときは、締め付けネジ６のダイヤル回動操作によって締め付けリング５をいったん緩径させておき、トレーの水平方向を所望の向きにしておいてから、締め付けネジ６のダイヤル回動操作によって締め付けリング５を再度縮径させてトレーの支軸７を固定させれば良い。
【００４５】
また、ペット処置用器具４として牽引装置を上部載置台３に取り付ける場合には、上記したトレーの場合と同様に、締め付けネジ６のダイヤル回動操作によって締め付けリング５をいったん緩径させておき、処置台１１の支軸を上部載置台３の支持用差込孔３ａに差し込み、処置台１１を所望の高さ位置にしておいてから、締め付けネジ６のダイヤル回動操作によって締め付けリング５を再度縮径させて処置台１１の支軸を固定する。
【００４６】
そして、図５、図６および図７に示すように、牽引操作部１０を処置台１１の先端上面に固定金具によって設置する。処置台１１の上側にあるクッション台１２にペットＰの脚を載せる。このとき、ペットＰを縛って固定することもあるが、縛らなくても良い場合もある。
【００４７】
ペットＰの大きさに対応して、上側のクッション台１２、および後方の直角に設けられたクッション台１２それぞれの前後方向の位置調整を行う。また、後方の直角に設けられたクッション台１２はペットＰのボディ等を支えるときの受け具として使用される。
【００４８】
手術に際し、処置台１１の上側にあるクッション台１２にペットＰの脚を載せ、後方の直角に設けられたクッション台１２後方に手術台を隣接させ、ペットＰのボディは手術台の方に位置させる。
【００４９】
ペットＰの脚部先端に付設した金具類等に、紐体１９先端のフック１８を引っ掛ける。そして、紐体１９の第２ガイドローラ１７ｂ位置よりも後方に延びた部分を、前記第１ガイドローラ１７ａに掛架させてから、第２ガイドローラ１７ｂに掛架させ、さらに紐体１９の後部側を支持枠２３、ガイド枠２４を介して前記ストッパ機構２０の一対の保持ローラ２０ａ、２０ｂ相互間に挿入する。
【００５０】
ストッパ機構２０より下方に引き出されている紐体１９に取り付けた取っ手を引っ張ると、不図示の復帰バネに抗して当該保持ローラ２０ａ、２０ｂ同士が拡開方向に回転し（図８中の点線矢印Ｂ方向）紐体１９の牽引を許容する。一方、引っ張り力を解放したときには保持ローラ２０ａ、２０ｂ同士が復帰バネに任せて閉塞方向に回転し（図８中の実線矢印Ｃ方向）、両保持ローラ２０ａ、２０ｂの滑り止め部により紐体１９が固定される。  尚、手術するときは、血液等の付着を、滅菌処理されているカバー用の綿布Ｓ等で防ぐ。
【符号の説明】
【００５１】
Ｐ              ペット
Ｋ              キャスター
Ｌ              手術用器具のコード類
Ｒ              手術台
Ｓ              綿布
１              下部可動台
１ａ            水平脚部
１ｂ            横架材
２              支柱
２ａ            支持突部
２ｂ            支持筒部
２ｃ            ガイドレール
３              上部載置台
３ａ            支持用差込孔
４              ペット処置用器具（トレー、牽引装置）
４ａ            底面部
４ｂ            壁面部
４ｃ            切欠部
５              締め付けリング
５ａ            割り溝
５ｂ            突出片
５ｃ            ネジ孔
６              締め付けネジ
７              支軸
１０            牽引操作部
１１            処置台
１１ａ、１１ｂ  筒体
１１ｃ          長さ調整用ネジ
１２ａ、１２ｂ  クッション台
１３            嵌合凹部
１４            固定ガイド
１５            嵌合凸部
１６            固定金具
１６ａ          引っ掛け具
１６ｂ          引っ掛け部
１６ｃ          被係架部
１７ａ          第１ガイドローラ
１７ｂ          第２ガイドローラ
１８            フック
１９            紐体
２０            ストッパ機構
２０ａ、２０ｂ  保持ローラ
２１            水平揺動台
２２            滑り止め部
２３            支持枠
２４            ガイド枠
【図１】
2011062383.tif 000003
【図２】
2011062383.tif 000004
【図３】
2011062383.tif 000005
【図４】
2011062383.tif 000006
【図５】
2011062383.tif 000007
【図６】
2011062383.tif 000008
【図７】
2011062383.tif 000009
【図８】
2011062383.tif 000010
【図９】
2011062383.tif 000011